(57)【要約】本開示の実施形態は、サービング基地局を介してセルラ送信を実行するユーザ機器の方法を提供する。方法は、デバイス間（Ｄ２Ｄ）検出送信に対するリソースの割当てをリクエストするようにサービング基地局にリクエストメッセージを送信するステップ、割り当てられたリソースを示すための表示メッセージをサービング基地局から受信するステップ、及びセルラ送信が実行される間に、割り当てられたリソース上でＤ２Ｄ検出送信を実行するステップを備え得る。本開示の実施形態はさらに、サービング基地局の方法、ユーザ機器及びサービング基地局を提供する。【選択図】  図１
2018538743.tif 000002
【特許請求の範囲】
【請求項１】
サービング基地局を介してセルラ送信を実行するユーザ機器の方法であって、
デバイス間（Ｄ２Ｄ）検出送信に対するリソースの割当てをリクエストするためのリクエストメッセージを前記サービング基地局に送信するステップ、
前記割り当てられたリソースを示すための表示メッセージを前記サービング基地局から受信するステップ、及び
前記セルラ送信が実行される間に、前記割り当てられたリソース上で前記Ｄ２Ｄ検出送信を実行するステップ
を備える方法。
【請求項２】
前記リソースが前記サービング基地局によって割り当てられるのか又は非サービング基地局によって割り当てられるのかを前記サービング基地局が判定するように、前記Ｄ２Ｄ検出送信に対する周波数を前記リクエストメッセージに含めるステップをさらに備える請求項１に記載の方法。
【請求項３】
前記周波数で測定を実行するように前記サービング基地局から測定構成を受信するステップ、及び
どの非サービング基地局が前記リソースを割り当てるかを前記サービング基地局が特定するように、前記サービング基地局に測定報告を送信するステップ
をさらに備える請求項２に記載の方法。
【請求項４】
所定の優先規則に従って前記セルラ送信と前記Ｄ２Ｄ検出送信の間で電力を割り当てるステップをさらに備える請求項１に記載の方法。
【請求項５】
前記所定の優先規則が、
前記セルラ送信が前記Ｄ２Ｄ検出送信よりも高い優先度を常時有することを備える、請求項４に記載の方法。
【請求項６】
前記所定の優先規則が、
前記Ｄ２Ｄ検出送信がサブフレームにおいて前記セルラ送信よりも早い場合に、前記Ｄ２Ｄ検出送信がプライマリセル又はセカンダリセルにおいて前記セルラ送信よりも高い優先度を有するが物理ランダムアクセスチャネル（ＰＲＡＣＨ）送信もより低い優先度を有することを備える、請求項４に記載の方法。
【請求項７】
前記所定の優先規則が、
前記Ｄ２Ｄ検出送信がサブフレームにおいて前記セルラ送信よりも早い場合に、前記Ｄ２Ｄ検出送信がプライマリセルにおいて前記セルラ送信よりも低い優先度を有するがセカンダリセルにおいて前記セルラ送信よりも高い優先度を有することを備える、請求項４に記載の方法。
【請求項８】
前記所定の優先規則が、
前記Ｄ２Ｄ検出送信がサブフレームにおいて前記セルラ送信よりも早い場合に、利用可能な最大送信電力が前記Ｄ２Ｄ検出送信に対して設定されていること、及び前記Ｄ２Ｄ検出送信電力の実際の電力が前記利用可能な最大送信電力以下であることを備える、請求項４に記載の方法。
【請求項９】
ユーザ機器のセルラ送信をサービングするサービング基地局の方法であって、
デバイス間（Ｄ２Ｄ）検出送信に対するリソースの割当てをリクエストするためのリクエストメッセージを前記ユーザ機器から受信するステップ、及び
前記セルラ送信が実行される間に、前記ユーザ機器が前記割り当てられたリソース上で前記Ｄ２Ｄ検出送信を実行するように、前記割り当てられたリソースを示すための表示メッセージを前記ユーザ機器に送信するステップ
を備える方法。
【請求項１０】
前記ユーザ機器の前記Ｄ２Ｄ検出送信に対する周波数を前記リクエストメッセージから取得するステップ、及び
前記取得された周波数に基づいて、前記リソースが前記サービング基地局によって割り当てられるのか又は非サービング基地局によって割り当てられるのかを判定するステップ
をさらに備える請求項９に記載の方法。
【請求項１１】
前記リソースが非サービング基地局によって割り当てられると判定された場合に、前記ユーザ機器が前記周波数で測定を実行するように、前記ユーザ機器に測定構成を送信するステップ、
前記ユーザ機器から測定報告を受信するステップ、及び
前記測定報告に基づいて、どの非サービング基地局が前記リソースを割り当てるかを特定するステップ
をさらに備える請求項１０に記載の方法。
【請求項１２】
前記リクエストメッセージがさらなる公衆陸上移動体ネットワーク（ＰＬＭＮ）のアイデンティティを含む場合に、前記サービング基地局が属するＰＬＭＮとは異なる前記さらなるＰＬＭＮにおいて前記リソースが非サービング基地局によって割り当てられると判定するステップをさらに備える請求項９に記載の方法。
【請求項１３】
前記ユーザ機器が前記Ｄ２Ｄ検出送信を実行する必要がある周波数を前記リクエストメッセージが含まない場合に、前記ユーザ機器の前記Ｄ２Ｄ検出送信に対する周波数を前記さらなるＰＬＭＮの周波数から選択するステップ、及び
前記選択された周波数に基づいて、どの非サービング基地局が前記リソースを割り当てるかを特定するステップ
をさらに備える請求項１２に記載の方法。
【請求項１４】
サービング基地局を介してセルラ送信を実行するユーザ機器であって、
デバイス間（Ｄ２Ｄ）検出送信に対するリソースの割当てをリクエストするためのリクエストメッセージを前記サービング基地局に送信するように構成された送信部、
前記割り当てられたリソースを示すための表示メッセージを前記サービング基地局から受信するように構成された受信部、及び
前記セルラ送信が実行される間に、前記割り当てられたリソース上で前記Ｄ２Ｄ検出送信を実行するように構成されたＤ２Ｄ検出部
を備えたユーザ機器。
【請求項１５】
ユーザ機器のセルラ送信をサービングするサービング基地局であって、
デバイス間（Ｄ２Ｄ）検出送信に対するリソースの割当てをリクエストするためのリクエストメッセージを前記ユーザ機器から受信するように構成された受信部、及び
前記セルラ送信が実行される間に、前記ユーザ機器が前記割り当てられたリソース上で前記Ｄ２Ｄ検出送信を実行するように、前記割り当てられたリソースを示すための表示メッセージを前記ユーザ機器に送信するように構成された送信部
を備えたサービング基地局。
【発明の詳細な説明】
【技術分野】
【０００１】
本開示の実施形態は、概略として無線通信に関し、より具体的には、ユーザ機器、サービング基地局及びそれらのための方法に関する。
【背景技術】
【０００２】
ＬＴＥリリース１２では、近接サービス（ＰｒｏＳｅ）直接検出がＬＴＥ−Ａに導入され、ＰｒｏＳｅはデバイス間（Ｄ２Ｄ）通信サービスとも呼ばれ、ユーザ機器はプライマリセル（すなわち、ＰＣｅｌｌ）においてＤ２Ｄ検出信号を送信することができる。ＬＴＥリリース１３では、ＰｒｏＳｅ直接検出は、非サービングセル及び／又はセカンダリセルにおいて検出送信をサポートするように増強される必要がある。セカンダリセルは、サービングセルと同じ又は異なる公衆陸上移動体ネットワーク（ＰＬＭＮ）に属することがある。
【０００３】
ＲＡＮ２＃８９ｂｉｓの会議合意によると、ＲＲＣシグナリングを介するユーザ機器を他のキャリアにおいてＤ２Ｄ検出信号を送信するように構成することが許容される。ＲＲＣシグナリングは、非プライマリセルに対してタイプ１又はタイプ２の検出構成のいずれかを構成するのに使用可能である。しかしながら、非プライマリセルにおいて検出送信リソースをどのように取得するかの問題については、現在のところ好ましい解決手段はない。
【０００４】
さらに、ユーザ機器が非プライマリセルにおいて検出メッセージを送信するように構成されると、ユーザ機器は、セルラ信号が送信される間に検出信号を送信することがある。この場合には、セルラ送信とＤ２Ｄ検出送信の間でユーザ機器に対して電力をどのように割り当てるかの問題についても解決する必要がある。
【発明の概要】
【０００５】
従来技術における前述の技術的問題を考慮して、本開示の実施形態の目的は、従来技術における上記及び他の技術的問題を解決すべく、ユーザ機器の方法及びサービング基地局の方法と、さらにそれらの対応するユーザ機器及びサービング基地局とを提供することである。
【０００６】
本開示の第１の態様によると、サービング基地局を介してセルラ送信を実行し得るユーザ機器の方法を提供する。方法は、デバイス間（Ｄ２Ｄ）検出送信に対するリソースの割当てをリクエストするようにサービング基地局にリクエストメッセージを送信するステップ、割り当てられたリソースを示すための表示メッセージをサービング基地局から受信するステップ、及びセルラ送信が実行される間に、割り当てられたリソース上でＤ２Ｄ検出送信を実行するステップを備え得る。
【０００７】
ある実施形態では、方法は、リソースがサービング基地局によって割り当てられるのか又は非サービング基地局によって割り当てられるのかをサービング基地局が判定するように、Ｄ２Ｄ検出送信に対する周波数をリクエストメッセージに含めるステップをさらに備え得る。
【０００８】
ある実施形態では、方法は、その周波数で測定を実行するようにサービング基地局から測定構成を受信するステップ、及びどの非サービング基地局がリソースを割り当てるかをサービング基地局が特定するように、サービング基地局に測定報告を送信するステップをさらに備え得る。
【０００９】
ある実施形態では、方法は、所定の条件を満たし所定の閾値より高い信号品質を有するセルがその周波数で検出される場合のみ、サービング基地局にリクエストメッセージを送信するステップをさらに備え得る。
【００１０】
ある実施形態では、方法は、ユーザ機器がさらなる公衆陸上移動体ネットワーク（ＰＬＭＮ）においてＤ２Ｄ検出送信を実行する必要がある場合に、サービング基地局が属するＰＬＭＮとは異なるさらなるＰＬＭＮのアイデンティティをリクエストメッセージに含めるステップをさらに備え得る。
【００１１】
ある実施形態では、方法は、所定の優先規則に従ってセルラ送信とＤ２Ｄ検出送信の間で電力を割り当てるステップをさらに備え得る。
【００１２】
ある実施形態では、所定の優先規則は、セルラ送信がＤ２Ｄ検出送信よりも高い優先度を常時有することを備え得る。
【００１３】
ある実施形態では、所定の優先規則は、Ｄ２Ｄ検出送信がサブフレームにおいてセルラ送信よりも早い場合に、Ｄ２Ｄ検出送信がプライマリセル又はセカンダリセルにおいて、セルラ送信よりも高い優先度を有するが物理ランダムアクセスチャネル（ＰＲＡＣＨ）送信よりも低い優先度を有することを備え得る。
【００１４】
ある実施形態では、所定の優先規則は、Ｄ２Ｄ検出送信がサブフレームにおいてセルラ送信よりも早い場合に、Ｄ２Ｄ検出送信がプライマリセルにおいてはセルラ送信よりも低い優先度を有するがセカンダリセルにおいてはセルラ送信よりも高い優先度を有すること備え得る。
【００１５】
ある実施形態では、所定の優先規則は、Ｄ２Ｄ検出送信がサブフレームにおいてセルラ送信よりも早い場合に、利用可能な最大送信電力がＤ２Ｄ検出送信に対して設定されること、及びＤ２Ｄ検出送信電力の実際の電力が利用可能な最大送信電力以下であることを備え得る。
【００１６】
本開示の第２の態様によると、ユーザ機器のセルラ送信をサービングするサービング基地局の方法が提供される。方法は、デバイス間（Ｄ２Ｄ）検出送信に対するリソースの割当てをリクエストするためのリクエストメッセージをユーザ機器から受信するステップ、及びセルラ送信が実行される間に、ユーザ機器は割り当てられたリソース上でＤ２Ｄ検出送信を実行するように、割り当てられたリソースを示すための表示メッセージをユーザ機器に送信するステップを備え得る。
【００１７】
ある実施形態では、方法は、ユーザ機器のＤ２Ｄ検出送信に対する周波数をリクエストメッセージから取得するステップ、及び取得された周波数に基づいて、リソースがサービング基地局によって割り当てられるのか又は非サービング基地局によって割り当てられるのかを判定するステップをさらに備え得る。
【００１８】
ある実施形態では、方法は、リソースが非サービング基地局によって割り当てられると判定された場合に、ユーザ機器がその周波数で測定を実行するように、ユーザ機器に測定構成を送信するステップ、ユーザ機器から測定報告を受信するステップ、及び測定報告に基づいて、どの非サービング基地局がリソースを割り当てるかを特定するステップをさらに備え得る。
【００１９】
ある実施形態では、方法は、リクエストメッセージがさらなる公衆陸上移動体ネットワーク（ＰＬＭＮ）のアイデンティティを含む場合に、サービング基地局が属するＰＬＭＮとは異なるさらなるＰＬＭＮにおいて、リソースが非サービング基地局によって割り当てられると判定するステップをさらに備え得る。これらの実施形態では、方法は、ユーザ機器がＤ２Ｄ検出送信を実行する必要がある周波数をリクエスト情報が含まない場合に、ユーザ機器のＤ２Ｄ検出送信に対する周波数をさらなるＰＬＭＮの周波数から選択するステップ、及び選択された周波数に基づいて、どの非サービング基地局がリソースを割り当てるかを特定するステップをさらに備え得る。
【００２０】
ある実施形態では、方法は、特定された非サービング基地局にリソースを割り当てるようにリクエストするステップ、割り当てられたリソースを示すためのメッセージを非サービング基地局から受信するステップ、及び割り当てられたリソースをユーザ機器に示すステップをさらに備え得る。
【００２１】
ある実施形態では、方法は、測定報告を非サービング基地局に送信するステップをさらに備え得る。
【００２２】
ある実施形態では、方法は、ユーザ機器からリクエストメッセージを受信するステップに応じて、セルラ送信が実行される間に、ユーザ機器はＤ２Ｄ検出送信を実行することが許容されるかを判定するステップ、及びセルラ送信が実行される間に、ユーザ機器はＤ２Ｄ検出送信を実行することが許容される場合のみ、ユーザ機器に表示メッセージを送信するステップをさらに備え得る。
【００２３】
本開示の第３の態様によると、サービング基地局を介してセルラ送信を実行するユーザ機器が提供される。ユーザ機器は、デバイス間（Ｄ２Ｄ）検出送信に対するリソースの割当てをリクエストするリクエストメッセージをサービング基地局に送信するように構成された送信部、割り当てられたリソースを示すための表示メッセージをサービング基地局から受信するように構成された受信部、及びセルラ送信が実行される間に、割り当てられたリソース上でＤ２Ｄ検出送信を実行するように構成されたＤ２Ｄ検出部を備え得る。
【００２４】
本開示の第４の態様によると、ユーザ機器のセルラ送信をサービングするサービング基地局が提供される。サービング基地局は、デバイス間（Ｄ２Ｄ）検出送信に対するリソースの割当てをリクエストするためのリクエストメッセージをユーザ機器から受信するように構成された受信部、及びセルラ送信が実行される間に、ユーザ機器が割り当られたリソース上でＤ２Ｄ検出送信を実行するように、割り当てられたリソースを示すための表示メッセージをユーザ機器に送信するように構成された送信部を備え得る。
【００２５】
本開示の実施形態は、非プライマリセルにおいて検出送信リソースを取得するユーザ機器に対する技術的解決手段、及び非プライマリセルにおいて検出送信をサポートする実現可能な電力割当てメカニズムを提供する。本開示の実施形態は、セルラサービング周波数以外の周波数でＤ２Ｄ検出送信を実行するようにキャリアアグリゲーション又はデュアル接続性のシナリオをサポートするユーザ機器のために、リソース割当て処理を実現する。その上、電力の割当てには、３つの異なるシナリオが考えられる。３つのシナリオでは、特に、Ｄ２Ｄ検出送信がサブフレームにおいてセルラ送信よりも早い場合に、セルラ送信とＤ２Ｄ検出送信の間で優先度を設定するためのいくつかの異なる選択肢が提示される。本開示の実施形態により、非サービングセルの周波数で良好なＤ２Ｄ検出性能が取得可能である。さらに、本開示の実施形態はまた、キャリアアグリゲーション又はデュアル接続性のシナリオをサポートしないユーザ機器も検討する。この状況では、ユーザ機器は、非プライマリセルにおいて検出を実行するためのスケジューリングギャップで構成され得る。
【００２６】
本開示の実施形態の上記及び他の目的、構成及び効果は、添付図面を参照して以下の詳細な説明を通じてより深く理解できる。図面では、本開示のいくつかの実施形態は、例示的なものであって限定的なものではない。
【図面の簡単な説明】
【００２７】
【図１】図１は、本開示の実施形態によるユーザ機器の方法についてのフローチャートを概略的に示す。
【図２】図２は、本開示の実施形態によるセルラ送信とＤ２Ｄ検出送信の間に異なる関係性が存在するシナリオを概略的に示す。
【図３】図３は、本開示の実施形態によるサービング基地局の方法についてのフローチャートを概略的に示す。
【図４】図４は、本開示の一実施形態によるＤ２Ｄ検出送信リソースを割り当てるシグナリング相互作用処理を概略的に示す。
【図５】図５は、本開示の他の実施形態によるＤ２Ｄ検出送信リソースを割り当てるシグナリング相互作用処理を概略的に示す。
【図６】図６は、本開示の実施形態によるユーザ機器のブロック図を概略的に示す。
【図７】図７は、本開示の実施形態によるサービング基地局のブロック図を概略的に示す。
【発明を実施するための形態】
【００２８】
これ以降、図面に示すいくつかの例示的実施形態は、本開示の原理及び趣旨を説明するのに参照される。これらの実施形態の説明は、単に当業者が本開示をより良く理解及び実施できるようにするものであり、いずれの形式においても本開示の範囲を限定的な意味でとらえられるべきではない。
【００２９】
上記のように、本開示の実施形態の目的の１つは、ＰＬＭＮ内又はＰＬＭＮ間シナリオで、プライマリセルにおいてセルラ送信を実行する間に、非プライマリセルにおいてＤ２Ｄ検出送信を実行することである。この課題を達成するためには、２つの問題を解決する必要がある。１つは非プライマリセルにおいて検出送信リソースをどのように取得するかであり、もう１つは、ユーザ機器がセルラ送信及びＤ２Ｄ検出送信を同時に実行する必要がある場合に、電力をどのように割り当てるかである。この２つの問題に関して、本開示の実施形態は、２つの問題を解決するように、ユーザ機器の方法及びサービング基地局の方法と、さらに対応するユーザ機器及びサービング基地局とを提供する。これ以降、本開示の実施形態は、図面を参照して詳述される。
【００３０】
図１は、本開示の実施形態によるユーザ機器のための方法１００についてのフローチャートを概略的に示す。方法１００は無線通信でユーザ機器によって実行され、ユーザ機器はサービング基地局を介してセルラ送信を実行し得る。具体的には、方法１００は、図６を参照して以下で説明するユーザ機器６００によって実行され得る。
【００３１】
図１に示すように、方法１００は、開始後にステップ１０１に進むことになる。ステップ１０１では、方法１００を実行するユーザ機器は、Ｄ２Ｄ検出送信に対するリソースの割当てをリクエストするリクエストメッセージをサービング基地局に送信し得る。特定の通信シナリオでは、サービング基地局を通じてセルラ通信を実行するユーザ機器は、非サービング周波数でＤ２Ｄ検出送信を実行して隣接する他のユーザ機器がそれを検出できることにより、Ｄ２Ｄ送信を実行するように隣接するユーザ機器の間にＤ２Ｄ通信チャネルを確立する必要があり得ることは、当業者には分かるはずである。しかしながら、そのようなシナリオでは、ユーザ機器には、他の周波数でＤ２Ｄ検出送信を実行するためのリソースは割り付けられない。したがって、Ｄ２Ｄ検出送信を実行するために、ＵＥはその周波数のＤ２Ｄ検出送信に対するリソースの割当てをリクエストするようにサービング基地局にリクエストメッセージを送信し得る。
【００３２】
ある実施形態では、方法１００を実行するユーザ機器は、リソースがサービング基地局によって割り当てられるのか又は非サービング基地局によって割り当てられるのかをサービング基地局が判定するように、Ｄ２Ｄ検出送信に対する周波数をリクエストメッセージに含めることができる。これらの実施形態では、ユーザ機器は、リクエストメッセージにおいて、Ｄ２Ｄ検出送信を実行するために必要とする周波数を明確に示すことができる。リクエストメッセージから周波数を取得した後に、サービング基地局は、リソースがその周波数でサービング基地局によって割り当てられ得るかを判定することができる。サービング基地局がその周波数でリソースを割り当てる場合には、ユーザ機器に割り当てられたリソースを通知し得る。サービング基地局がその周波数でリソースを割り当てることができない場合には、周波数リソースを支配する非サービング基地局にリソースを割り当てるようにリクエストし得る。
【００３３】
ある実施形態では、方法１００を実行するユーザ機器は、所定の条件を満たしかつ所定の閾値よりも高い信号品質を有するセルがこの周波数で検出される場合のみ、サービング基地局にリクエストメッセージを送信し得る。これらの実施形態では、ユーザ機器は、特定の周波数でＤ２Ｄ検出送信を実行する必要性を判定する前に、その周波数で検出を実行し得る。所定の条件を満たしかつ所定の閾値よりも高い信号品質を有するセルが検出される場合には、ユーザ機器はリクエストメッセージをサービング基地局に送信する。そのようにして、ユーザ機器がリクエストメッセージをサービング基地局に盲目的に送信するのを少なくとも阻止し、それによってシステムのリソースを節約する。当業者であれば、ここで所定の条件が特定の技術的環境に従って予め決定され得ることを理解できる。例えば、所定の条件は、それに限定することなく、３ＧＰＰ  ＴＳ３６．３０４に従って適切なセルを規定するような条件を含み得る。
【００３４】
ある実施形態では、方法１００を実行するユーザ機器は、サービング基地局が属するＰＬＭＮ以外の他のＰＬＭＮにおいてＤ２Ｄ検出送信を実行する必要がある場合には、他のＰＬＭＮのアイデンティティがリクエストメッセージに含まれ得る。これらの実施形態では、ユーザ機器は、セルラ送信とは異なる他のＰＬＭＮの周波数でＤ２Ｄ検出送信を実行する必要がある。そのような場合には、ユーザ機器は、Ｄ２Ｄ検出送信に対する周波数が属する他のＰＬＭＮのアイデンティティを、リクエストメッセージを介してサービング基地局に送信し得る。サービング基地局は、リクエストメッセージにおけるアイデンティティに基づいて、リソースが他のＰＬＭＮの非サービング基地局によって割り当てられると判定し得る。さらに、ユーザ機器がリクエストメッセージにおいてＰＬＭＮのアイデンティティを示さない場合には、サービング基地局は、ユーザ機器が現行のＰＬＭＮ内でＤ２Ｄ送信を実行する必要があるとみなす。
【００３５】
次に、方法１００は、ステップ１０２に進むことになる。ステップ１０２では、方法１００を実行するユーザ機器は、割り当てられたリソースを示すための表示メッセージをサービング基地局から受信し得る。サービングされたユーザ機器からリクエストメッセージを受信した後に、サービング基地局は、異なる状況の異なる要因によりユーザ機器にＤ２Ｄ検出送信リソースを割り当てるための異なる形式を対応して採用し得ることが分かる。その後は、サービング基地局は、表示メッセージを通じて割り当てられたリソースをユーザ機器に通知することができる。
【００３６】
ある実施形態では、方法１００を実行するユーザ機器は、どの非サービング基地局がリソースを割り当てるかをサービング基地局が特定するように、サービング基地局から測定構成を受信して、その周波数で測定を実行し、測定報告をサービング基地局に送信し得る。これらの実施形態では、サービング基地局が、その周波数でリソースを割り当てることができないと分かった場合には、リソースを割り当てるように非サービング基地局にリクエストする必要がある。したがって、サービング基地局は、その周波数で測定を実行するための測定構成をユーザ機器に送信し得る。ユーザ機器は、測定構成に従ってその周波数で測定を実行し、そして、測定報告をサービング基地局に送信し得る。引き続き、測定報告に基づいて、サービング基地局は、どの非サービング基地局がその周波数でリソースを割り当てるかを知ることができる。これらの実施形態では、サービング基地局は、非プライマリセルにおいてユーザ機器による測定結果から最強のセルを知り、そして、サービング基地局は、非プライマリセルにおいてＤ２Ｄ検出送信に対する送信リソースをユーザ機器に割り当てるように、Ｘ２インタフェースを介して非サービング基地局にリクエストし得る。
【００３７】
次に、方法１００は、ステップ１０３に進むことになる。ステップ１０３では、方法１００を実行するユーザ機器は、セルラ送信が実行される間に、割り当てられたリソース上でＤ２Ｄ検出送信を実行し得る。ステップ１０３が完了した後に、方法１００は終了し得る。
【００３８】
上記のように、非プライマリセルにおいて検出送信リソースをどのように取得するかについての第１の問題を解決した後に、ユーザ機器の同時のセルラ送信とＤ２Ｄ検出送信の間で電力をどのように割り当てるかについての第２の問題をさらに解決する必要がある。この問題に対する本開示の解決手段を、図２を参照して詳述する。
【００３９】
図２は、本開示の実施形態によるセルラ送信とＤ２Ｄ検出送信の間に異なる関係性が存在するシナリオを概略的に示す。図２に示すように、符号２０１はサブフレーム内のプライマリセル上のセルラ送信を示し、符号２０２−２０４は同じサブフレーム内の非プライマリセルの周波数のＤ２Ｄ検出送信を示す。
【００４０】
同じサブフレーム内のセルラ送信とＤ２Ｄ検出送信の経時的関係性によると、電力割当て中には以下の３つのシナリオが考えられる。第１のシナリオは早期Ｄ２Ｄ検出送信を含み、すなわち、Ｄ２Ｄ検出送信は同じサブフレーム内でセルラ送信より早い。第２のシナリオは同期Ｄ２Ｄ検出送信を含み、すなわち、Ｄ２Ｄ検出送信及びセルラ送信は同じサブフレーム内で同期している。第３のシナリオは後期Ｄ２Ｄ検出送信を含み、すなわち、Ｄ２Ｄ検出送信は同じサブフレーム内でセルラ送信より遅い。
【００４１】
第１のシナリオについて、本開示の実施形態は、Ｄ２Ｄ検出送信とセルラ送信の間の電力割当ての優先度を設定するためのいくつかの選択肢を提供する。
【００４２】
第１の選択肢では、セルラ送信は、Ｄ２Ｄ検出送信よりも高い優先度を常時有し得る。
【００４３】
第２の選択肢では、Ｄ２Ｄ検出送信は、プライマリセル又はセカンダリセルにおいて、Ｄ２Ｄ検出送信が物理ランダムアクセスチャネル（ＰＲＡＣＨ）よりも低い優先度を有する以外は、セルラ送信よりも高い優先度を有する。この選択肢は、送信リソースが非サービング基地局によって割り当てられるので、特にタイプ２の検出に対して適用可能であり、ユーザ機器がこのリソースを利用しない場合には、リソースは無駄になる。
【００４４】
第３の選択肢では、Ｄ２Ｄ検出送信はプライマリセル上ではセルラ送信よりも低い優先度を有するがセカンダリセル上ではセルラ送信よりも高い優先度を有し、又はＤ２Ｄ検出送信はサウンディング基準信号（ＳＲＳ）よりも高い優先度を有する。通常、プライマリセル上のセルラ送信は、ＲＲＣ接続を維持するのに重要であるため、電力割当てでは高い優先度を有し得る。セカンダリセル上のセルラ送信については、ある観点からそれはさほど重要ではない。その結果として、ユーザ機器が他の周波数でＤ２Ｄ検出送信を実行する必要がある場合には、Ｄ２Ｄ検出送信に対する電力割当ては、セカンダリセル上のセルラ送信よりも高い優先度を有し得る。
【００４５】
第４の選択肢では、利用可能な最大送信電力は、ユーザ機器がＤ２Ｄ検出送信を実行する必要がある周波数のＤ２Ｄ検出送信に対して設定されればよく、Ｄ２Ｄ検出送信の実際の電力は利用可能な最大送信電力以下である。ユーザ機器が同時のセルラ送信及び検出送信に対して十分な電力がない場合には、Ｄ２Ｄ検出送信には利用可能な最大送信電力を割り付け可能であり、セルラ送信には残りの電力を割り付け可能である。この選択肢は、その周波数におけるＤ２Ｄ検出送信に対して良好な性能を見込むことができる。
【００４６】
第２及び第３のシナリオについて、セルラ送信は、Ｄ２Ｄ検出送信よりも電力割当てに対して高い優先度を有する。ユーザ機器はまず、セルラ送信に対して電力を割り当てることができ、残りの電力はＤ２Ｄ検出送信に用いられ得る。この電力割当ては、残りの電力が制限され得るので、不十分なＤ２Ｄ検出性能をもたらすことがある。
【００４７】
さらに、ユーザ機器が、サービング基地局が属するＰＬＭＮにおいてセルラ信号を送信し他のＰＬＭＮにおいて検出メッセージを同時に送信する場合には、ユーザ機器は、サービング基地局が属するＰＬＭＮよりも他のＰＬＭＮの方が高い優先度を有すると分かれば、Ｄ２Ｄ検出送信を行うことはセルラ送信よりも電力割当てに対して高い優先度を有するとみなすことができる。提示される電力割当てメカニズムにより、本開示の実施形態は、ＰＬＭＮ内のシナリオ又はＰＬＭＮ間のシナリオに属する非プライマリセルにおいてＤ２Ｄ検出送信をサポートすることができる。
【００４８】
したがって、ある実施形態では、方法１００を実行するユーザ機器は、異なるシナリオの異なる選択肢に応じて、所定の優先規則に従いセルラ送信とＤ２Ｄ検出送信の間で電力を割り当てることができる。種々の実施形態では、所定の規則は、以下の、セルラ送信は、Ｄ２Ｄ検出送信よりも高い優先度を常時有していてもよいこと、Ｄ２Ｄ検出送信がサブフレームにおいてセルラ送信よりも早い場合には、Ｄ２Ｄ検出送信は、プライマリセル又はセカンダリセル上でセルラ送信よりも高い優先度を有するがＰＲＡＣＨ送信よりも低い優先度を有し得ること、Ｄ２Ｄ検出送信がサブフレームにおいてセルラ送信よりも早い場合には、Ｄ２Ｄ検出送信は、プライマリセル上ではセルラ送信よりも低い優先度を有するがセカンダリセル上ではセルラ送信よりも高い優先度を有し得ること、及びＤ２Ｄ検出送信がサブフレームにおいてセルラ送信よりも早い場合には、利用可能な最大送信電力はＤ２Ｄ検出送信に対して設定されればよく、Ｄ２Ｄ検出送信の実際の電力は利用可能な最大送信電力以下であることを含み得る。
【００４９】
図３は、本開示の実施形態によるサービング基地局のための方法３００についてのフローチャートを概略的に示す。方法３００は無線通信でサービング基地局によって実行され、サービング基地局はユーザ機器のセルラ送信をサービングし得る。具体的には、方法３００は、図７を参照して以下に説明するサービング基地局７００によって実行され得る。
【００５０】
図３に示すように、方法３００は、開始後に、ステップ３０１に進むことになる。ステップ３０１では、方法３００を実行するサービング基地局は、Ｄ２Ｄ検出送信に対するリソースの割当てをリクエストするためのリクエストメッセージをユーザ機器から受信し得る。サービングセルによってサービングされるユーザ機器が非サービングセルにおいてＤ２Ｄ検出送信を実行する必要がある場合、Ｄ２Ｄ検出送信を実行するためのリソースを割り当てるようにサービング基地局にリクエストする必要があることは、当業者には明らかである。
【００５１】
ある実施形態では、方法３００を実行するサービング基地局は、ユーザ機器のＤ２Ｄ検出送信に対する周波数をリクエストメッセージから取得し、取得された周波数に基づいて、リソースがサービング基地局によって割り当てられるのか又は非サービング基地局によって割り当てられるのかを判定し得る。これらの実施形態では、ユーザ機器は、リクエストメッセージにおいて、Ｄ２Ｄ検出送信を実行する必要がある周波数をサービング基地局に明確に通知し得る。リクエストメッセージから周波数を取得した後に、サービング基地局は、その周波数でリソースがサービング基地局によって割り当てられ得るかを判定することができる。サービング基地局が、その周波数でリソースを割り当てることができる場合には、ユーザ機器に割り当てられたリソースを通知し得る。サービング基地局は、その周波数でリソースを割り当てることができない場合には、周波数リソースを支配する非サービング基地局にこのリソースを割り当てるようにリクエストしてもよい。これらの実施形態では、サービング基地局は非プライマリセルにおいてユーザ機器による測定結果から最強のセルを知ることができ、そして、サービング基地局は、非プライマリセルにおいてＤ２Ｄ検出送信に対してユーザ機器に送信リソースを割り当てるように、Ｘ２インタフェースを通じて非サービング基地局にリクエストし得る。
【００５２】
ある実施形態では、リソースが非サービング基地局によって割り当てられると判定された場合には、方法３００を実行するサービング基地局は、ユーザ機器がその周波数で測定を実行できるようにユーザ機器に測定構成を送信することができ、そして、方法３００を実行するサービング基地局は、ユーザ機器から測定報告を受信し、その測定報告に基づいてどの非サービング基地局がリソースを割り当てるかを特定し得る。これらの実施形態では、サービング基地局がその周波数でリソースを割り当てることができないと分かった場合には、非サービング基地局にリソースを割り当てるようにリクエストする必要がある。したがって、サービング基地局は、その周波数で測定を実行するための測定構成をユーザ機器に送信し得る。ユーザ機器は、その測定構成に従ってその周波数で測定を実行し、そして、測定報告をサービング基地局に送信し得る。その後、サービング基地局は、測定報告に基づいて、どの非サービング基地局がその周波数でリソースを割り当てることができるかを知ることができる。
【００５３】
ある実施形態では、サービング基地局が属するＰＬＭＮとは異なる他のＰＬＭＮのアイデンティティをリクエストメッセージが含む場合には、方法３００を実行するサービング基地局は、他のＰＬＭＮにおいてリソースが非サービング基地局によって割り当てられると判定し得る。これらの実施形態では、ユーザ機器は、セルラ送信のものとは異なるＰＬＭＮの周波数でＤ２Ｄ検出送信を実行する必要がある。この場合には、ユーザ機器は、Ｄ２Ｄ検出送信が実行される必要がある周波数が属する他のＰＬＭＮのアイデンティティを、リクエストメッセージを介してサービング基地局に送信することができる。サービング基地局は、リクエストメッセージにおけるアイデンティティに基づいて、リソースが他のＰＬＭＮの非サービング基地局によって割り当てられると判定し得る。さらに、ユーザ機器がリクエストメッセージにおいてＰＬＭＮのアイデンティティを示さない場合には、サービング基地局は、ユーザ機器が現行のＰＬＭＮ内でＤ２Ｄ検出送信を実行する必要があるとみなす。
【００５４】
上記実施形態のさらなる実施形態では、ユーザ機器がＤ２Ｄ検出送信を実行する必要がある周波数をリクエストメッセージが含まない場合には、方法３００を実行するサービング基地局は、他のＰＬＭＮの周波数からユーザ機器のＤ２Ｄ検出送信に対する周波数を選択し、選択された周波数に基づいてどの非サービング基地局がリソースを割り当てるのかを特定し得る。これらの実施形態では、リクエストメッセージは、他のＰＬＭＮのアイデンティティを含むが、Ｄ２Ｄ検出送信が実行される必要がある周波数を示すことはできない。この場合には、サービング基地局は、ユーザ機器のＤ２Ｄ検出送信に対する周波数を他のＰＬＭＮの周波数範囲から自発的に選択し、そして、選択された周波数に従ってリソースを割り当てるように、他のＰＬＭＮにおける特定の基地局にリクエストし得る。
【００５５】
ある実施形態では、方法３００を実行するサービング基地局は、特定された非サービング基地局にリソースを割り当てるようにリクエストし、割り当てられたリソースを示すメッセージを非サービング基地局から受信し、割り当てられたリソースをユーザ機器に示し得る。これらの実施形態では、どの非サービング基地局がリソースを割り当てるようにリクエストされるかを特定した後に、サービング基地局は、リソースを割り当てるように非サービング基地局にリクエストし、そして、割り当てられたリソースについての表示を非サービング基地局から受信し、その後に割り当てられたリソースをユーザ機器に通知する。ある実施形態では、サービング基地局は、非プライマリセルにおけるＤ２Ｄ検出送信に用いられるユーザ機器に対する送信リソースを割り当てるように、Ｘ２インタフェースを通じて非サービング基地局にリクエストし得る。
【００５６】
ある実施形態では、方法３００を実行するサービング基地局は、測定報告を非サービング基地局に送信し得る。これらの実施形態では、ユーザ機器がＤ２Ｄ検出送信を実行する必要がある周波数で非サービング基地局が測定報告を受信した後に、その周波数でリソースを割り当てることは特定の動作にとって有利である。
【００５７】
次に、方法３００は、ステップ３０２に進むことになる。ステップ３０２では、方法３００を実行するサービング基地局は、セルラ送信が実行される間にユーザ機器が割り当てられたリソース上でＤ２Ｄ検出送信を実行するように、割り当てられたリソースを示す表示メッセージをユーザ機器に送信し得る。
【００５８】
ある実施形態では、方法３００を実行するサービング基地局は、ユーザ機器からリクエストメッセージを受信するステップに応じて、セルラ送信が実行される間にユーザ機器はＤ２Ｄ検出送信に対して許容されるかを決定し、セルラ送信が実行される間にユーザ機器がＤ２Ｄ検出送信の実行を許容される場合のみ、ユーザ機器に表示メッセージを送信し得る。これらの実施形態では、サービング基地局は、セルラ送信が実行される間にユーザ機器がＤ２Ｄ検出送信を実行するかを制御し得る。例えば、セルラ送信に影響及ぼさないことを保証する必要がある特定の場合には、サービング基地局は、セルラ送信が実行される間にユーザ機器がＤ２Ｄ検出送信の実行を許容されないと決定し得る。
【００５９】
ステップ３０２が完了した後に、方法３００は終了し得る。
【００６０】
図４は、本開示の一実施形態によるＤ２Ｄ検出送信リソースを割り当てるシグナリング相互作用処理を概略的に示す。例として、図４は、同じＰＬＭＮのシナリオ内でセルラ信号が送信される間にＤ２Ｄ検出信号を送信するために、ユーザ機器と、サービング基地局と、非サービング基地局との間のシグナリング相互作用処理を示す。図４に示すようなシグナリング相互作用処理は、本開示の実施形態の単なる具体的例示であり、図示される詳細によって本開示の範囲が限定されないことは当業者には明らかである。
【００６１】
この具体例では、ユーザ機器は、異なるセル内の同時のセルラ送信及びＤ２Ｄ検出送信をサポートするアップリンクキャリアアグリゲーティング又はデュアル接続性の性能を有していればよく、ユーザ機器は、サービスを実行するように、プライマリセルにアクセスしてＲＲＣ接続を確立している。ユーザ機器が高処理性能の要件を有する場合には、サービング基地局はユーザ機器に対して１つ又は複数のセカンダリセルを構成し得る。
【００６２】
ここで、ユーザ機器は、非プライマリセルにおいてＤ２Ｄ検出メッセージを送信する必要があり、特定の周波数Ｆ１で送信リソースの割付けをリクエストするように、サービング基地局にリクエストメッセージを送信し得る。リクエストメッセージとしては、サイドリンクＵＥ情報メッセージがある。リクエストメッセージを受信するステップの後に、サービング基地局は、セルラサービスが実行される間にユーザ機器がＤ２Ｄ検出送信を実行可能であるかをチェックし、そして、リクエストメッセージをどのように取り扱うかを判定し得る。図４の実施形態では、サービング基地局は、周波数Ｆ１でのＤ２Ｄ検出送信とプライマリセル上のセルラ送信（ＴＸ／ＲＸ）とを同時にサポート可能であると判定し、ユーザ機器が２つの送信を同時に実行できるようにする。サービング基地局は周波数Ｆ１においてユーザ機器に対する送信リソースを構成し得るので、セルラ送信が実行されている間にユーザ機器がＤ２Ｄ検出送信を実行することができる。ただし、サービング基地局が周波数Ｆ１においてＤ２Ｄ検出送信リソースを割り当てる権限を有していない場合には、サービング基地局は、周波数Ｆ１においてユーザ機器に対するＤ２Ｄ検出送信のリソースを割り当てるように他の非サービング基地局にリクエストする必要がある。また、ユーザ機器は、周波数Ｆ１において測定を実行するとともに周波数Ｆ１において測定報告を取得することができ、それによりサービング基地局がどのセルのカバレッジにユーザ機器があるかを特定することができる。次に、セルのカバレッジ範囲を担当する非サービング基地局は、ユーザ機器に対するＤ２Ｄ検出送信のリソースを割り当てることができる。以下の特定の処理では、ユーザ機器の自発的なリソースの選択又はスケジューリングされたリソースの割当てが適用され得る。
【００６３】
ステップ４０１では、ユーザ機器は、周波数Ｆ１においてＤ２Ｄ検出送信リソースの割当てをリクエストするように、サービング基地局にリクエストメッセージを送信し得る。ステップ４０２では、サービング基地局は、周波数Ｆ１において測定を実行するようにユーザ機器を構成し得る。ステップ４０３では、ユーザ機器は、周波数Ｆ１において実行された測定の測定報告をサービング基地局に送信し得る。この測定報告では、ユーザ機器は、どのセルのＲＳＲＰ／ＲＳＲＱが最強であるかを示し得る。ステップ４０４では、サービング基地局は、現行のセルラサービスが維持されることを許容するために、同時のセルラ送信及びＤ２Ｄ検出送信が採用されるかを判定し得る。図４の具体例では、サービング基地局はユーザ機器が同時送信（すなわち、プライマリセル上のセルラ送信及び周波数Ｆ１におけるＤ２Ｄ検出送信）をサポートできると判定し、サービング基地局はユーザ機器が同時送信を実行することを決定し得る。ステップ４０５では、サービング基地局は、周波数Ｆ１においてユーザ機器に対するＤ２Ｄ検出送信リソースをどのように割り当てるかを決定し得る。図４の具体例では、非サービング基地局が周波数Ｆ１においてＤ２Ｄ検出リソースの割当てを担当しているものとする（ユーザ機器によって報告されるように周波数Ｆ１における最強のセルは非サービング基地局に属し、最強のセルはユーザ機器によって報告されるように最高のＲＳＲＰ測定結果を有するセルを示す）。サービング基地局が周波数Ｆ１においてＤ２Ｄ検出送信リソースを割り当てることができる場合には、ユーザ機器へのリソース割当てを直接示し得る。ステップ４０６では、サービング基地局は、周波数Ｆ１におけるユーザ機器に対するＤ２Ｄ検出送信リソース割当てのためのリクエストを非サービング基地局に送信し得る。ステップ４０７では、非サービング基地局は、周波数Ｆ１においてユーザ機器にＤ２Ｄ検出送信に対するリソースを割り当てることができる。ステップ４０８では、サービング基地局は、周波数Ｆ１におけるＤ２Ｄ検出送信リソースの表示をユーザ機器に送信し得る。
【００６４】
ユーザ機器は、周波数Ｆ１においてＤ２Ｄ検出送信リソースを受信した後に、周波数Ｆ１におけるＤ２Ｄ検出メッセージを送信し得る。ユーザ機器は、セルラ信号が送信される間に検出信号を送信する必要があるので、電力割当てがセルラ送信とＤ２Ｄ検出送信の間で要求される。そのような電力割当て処理は、図２を参照して上記で詳述した電力割当ての解決手段と同様であればよい。
【００６５】
図５は、本開示の他の実施形態によるＤ２Ｄ検出送信リソースを割り当てるシグナリング相互作用処理を概略的に示す。例として、図５は、サービング基地局が位置するＰＬＭＮとは異なる他のＰＬＭＮにおいてＤ２Ｄ検出信号送信を実行するために、ユーザ機器と、サービング基地局と、非サービング基地局との間のシグナリング相互作用処理を示す。図５に示すシグナリング相互作用処理は本開示の実施形態の単なる具体的例示であり、上記の詳細事項によって本開示の範囲が限定されないことは、当業者には明らかである。
【００６６】
この具体例では、ユーザ機器は、他のＰＬＭＮの非プライマリセルにおいてＤ２Ｄ検出メッセージを送信することが許容される。ここでは、ユーザ機器は、他のＰＬＭＮの非プライマリセルにおいて検出メッセージを送信する権限を与えられるものとする。この態様では、Ｄ２Ｄ機能は、ユーザ機器がＤ２Ｄ検出信号を送信することが許容されるすべてのＰＬＭＮを示すように、ユーザ機器に権限情報を提供し得る。図５の具体例では、ユーザ機器はサービスを実行するようにプライマリセルにアクセスしＲＲＣ接続を確立し、プライマリセルの現行のＰＬＭＮはＰＬＭＮ１である。
【００６７】
ここで、ユーザ機器は、他のＰＬＭＮ（例えば、ＰＬＭＮ２）の非プライマリセルにおいてＤ２Ｄ検出メッセージを送信する必要があり、Ｄ２Ｄ検出送信に対するリソースの割当てをリクエストするようにサービング基地局にサイドリンクＵＥ情報メッセージとなり得るリクエストメッセージを送信することができる。具体的な動作処理を以下に詳細に説明する。
【００６８】
ステップ５０１では、ユーザ機器は、他のＰＬＭＮ上でＤ２Ｄ検出送信リソースの割当てをリクエストするように、サービング基地局にリクエストメッセージを送信し得る。この態様では、現行のサイドリンクＵＥ情報は他のＰＬＭＮ上でＤ２Ｄ検出送信リソースの割当てをリクエストするステップをサポートしないことがあるが、メッセージはこれに関して本開示の実施形態において強化され得る。さらに、新たな情報要素は、他のＰＬＭＮのアイデンティティを表示するようにリクエストメッセージ（例えば、サイドリンクＵＥ情報）に加えられ得るので、サービング基地局がユーザ機器は他のＰＬＭＮ上でＤ２Ｄ検出送信を実行する必要があることを知ることができる。図５の具体例では、ユーザ機器は、リクエストメッセージにおいてＰＬＭＮ２を示す。ユーザ機器がリクエストメッセージにおいてＰＬＭＮのアイデンティティを示さない場合には、サービング基地局は、ユーザ機器が現行のＰＬＭＮ（すなわち、ＰＬＭＮ１）においてＤ２Ｄ検出メッセージを送信する必要があるとみなすことができる。
【００６９】
その上、ユーザ機器は、Ｄ２Ｄ検出送信がリクエストメッセージにおいて実行される必要がある周波数を示すこともあれば、リクエストメッセージにその周波数を示さないこともある。ユーザ機器がリクエストメッセージにおいて周波数を示さない場合には、サービング基地局は、ユーザ機器がＤ２Ｄ検出メッセージを送信するのにＰＬＭＮ２のどの周波数が適しているかを特定し得る。
【００７０】
引き続き、ステップ５０２〜５０５は、図４を参照して示す動作処理における対応するステップと同様であればよい。ステップ５０６では、サービング基地局は、ＰＬＭＮ２の周波数Ｆ１においてユーザ機器に対するＤ２Ｄ検出送信リソースの割当てについてのリクエストを非サービング基地局に送信し得る。ユーザ機器は、周波数Ｆ１においてＤ２Ｄ検出送信に対するリソースを受信した後に、周波数Ｆ１におけるＤ２Ｄ検出メッセージを送信し得る。
【００７１】
ユーザ機器は、セルラ信号が送信される間にＤ２Ｄ検出信号を送信する必要があるので、電力割当てが、セルラ送信とＤ２Ｄ検出送信の間で実行されるように要求される。この態様では、図２を参照して示す電力割当ての解決手段が用いられてもよいし、異なるＰＬＭＮにおいて同時にセルラ送信及びＤ２Ｄ検出送信を取り扱うように新たな選択肢が導入されてもよい。ＰＬＭＮの選択では、ユーザ機器の非アクセス（ＮＡＳ）層はユーザ機器のアクセス（ＡＳ）層に各ＰＬＭＮの優先度を示す必要があるので、ユーザ機器はＰＬＭＮ１とＰＬＭＮ２の間の優先順位を知る。図５の具体例では、ＰＬＭＮ２がＰＬＭＮ１よりも高い優先度を有するものとする。この状況下では、ユーザ機器は、ＰＬＭＮ２上のＤ２Ｄ検出送信がＰＬＭＮ１上のセルラ送信よりも高い優先度を有するとみなすことができる。したがって、ユーザ機器が同時のセルラ送信及びＤ２Ｄ検出送信に対して十分な電力がない場合には、Ｄ２Ｄ検出送信にまず電力が割り付けられればよく、セルラ送信には残りの電力が割付けられ得る。
【００７２】
図６は、本開示の実施形態によるユーザ機器６００のブロック図を概略的に示す。図６のブロック図では、任意の各部又は構成要素を示すのに点線ブロックが用いられる。図６に示すように、ユーザ機器６００は、送信部６０１、受信部６０２及びＤ２Ｄ検出送信部６０３を含み得る。図６は本開示の実施形態と密接に関連したユーザ機器６００の各部又は構成要素を単に示し、実際にはユーザ機器がその正常な機能を可能とする他の機能的な各部又は構成要素を含み得ることは、当業者には明らかである。
【００７３】
ある実施形態では、送信部６０１は、サービング基地局にリクエストメッセージを送信して、Ｄ２Ｄ検出送信に対するリソースの割当てをリクエストするように構成され得る。受信部６０２は、割り当てられたリソース示すための表示メッセージをサービング基地局から受信するように構成され得る。Ｄ２Ｄ検出送信部６０３は、セルラ送信が実行される間に、割り当てられたリソース上でＤ２Ｄ検出送信を実行するように構成されればよい。
【００７４】
ある実施形態では、送信部６０１はさらに、リソースがサービング基地局によって割り当てられるのか又は非サービング基地局によって割り当てられるのかをサービング基地局が判定するように、Ｄ２Ｄ検出送信に対する周波数をリクエストメッセージに含める構成され得る。
【００７５】
ある実施形態では、受信部６０２は、その周波数で測定を実行するようにサービング基地局から測定構成を受信するように構成されてもよく、送信部６０１はさらに、どの非サービング基地局がリソースを割り当てるかをサービング基地局が特定するように、サービング基地局に測定報告を送信するように構成され得る。
【００７６】
ある実施形態では、送信部６０１は、所定の条件を満たしかつ所定の閾値よりも高い信号品質を有するセルがその周波数で検出される場合のみ、サービング基地局にリクエストメッセージを送信するように構成され得る。
【００７７】
ある実施形態では、送信部６０１は、サービング基地局が属するＰＬＭＮとは異なるさらなるＰＬＭＮにおいてユーザ機器がＤ２Ｄ検出送信を実行する必要がある場合には、さらなるＰＬＭＮのアイデンティティをリクエストメッセージに含めるように構成され得る。
【００７８】
ある実施形態では、ユーザ機器６００は、電力割当て部６０４をさらに含み得る。電力割当て部６０４は、所定の優先規則に従ってセルラ送信とＤ２Ｄ検出送信との間で電力を割り当てるように構成され得る。
【００７９】
ある実施形態では、所定の優先規則は、セルラ送信はＤ２Ｄ検出送信よりも高い優先度を常時有すること、Ｄ２Ｄ検出送信がサブフレームにおいてセルラ送信よりも早い場合には、Ｄ２Ｄ検出送信はプライマリセル又はセカンダリセルにおいてセルラ送信よりも高い優先度を有するがＰＲＡＣＨ送信よりも低い優先度を有すること、Ｄ２Ｄ検出送信がサブフレームにおいてセルラ送信よりも早い場合には、Ｄ２Ｄ検出送信はプライマリセル上ではセルラ送信よりも低い優先度を有するがセカンダリセル上ではセルラ送信よりも高い優先度を有すること、及びＤ２Ｄ検出送信がサブフレームにおいてセルラ送信よりも早い場合には、利用可能な最大送信電力はＤ２Ｄ検出送信に対して設定され、Ｄ２Ｄ検出送信の実際の電力は利用可能な最大送信電力以下であることを含み得る。
【００８０】
図７は、本開示の実施形態によるサービング基地局７００のブロック図を概略的に示す。図７のブロック図では、任意の各部又は構成要素を示すのに点線ブロックが用いられる。図７に示すように、サービング基地局７００は、受信部７０１及び送信部７０２を含み得る。図７は本開示の実施形態と密接に関連したサービング基地局７００における各部又は構成要素を単に示し、実際にはサービング基地局７００がその正常な動作を可能とする他の機能的な各部又は構成要素を含み得ることは、当業者には明らかである。
【００８１】
ある実施形態では、受信部７０１は、Ｄ２Ｄ検出送信に対するリソースの割当てをリクエストするためのリクエストメッセージをユーザリクエストから受信するように構成され得る。送信部７０２は、セルラ送信が実行される間に、割り当てられたリソース上でユーザ機器がＤ２Ｄ検出送信を実行するように、割り当てられたリソース示すための表示メッセージをユーザ機器に送信するように構成され得る。
【００８２】
ある実施形態では、サービング基地局７００は、取得部７０３をさらに含み得る。取得部７０３は、ユーザ機器のＤ２Ｄ検出送信に対する周波数をリクエストメッセージから取得するように構成され得る。ある実施形態では、サービング基地局７００はまた、決定部７０４も含み得る。決定部７０４は、取得された周波数に基づいて、リソースがサービング基地局によって割り当てられるのか又は非サービング基地局によって割り当てられるのかを判定するように構成され得る。
【００８３】
ある実施形態では、送信部７０２はさらに、リソースが非サービング基地局によって割り当てられると決定部７０４が判定した場合に、ユーザ機器がその周波数で測定を実行するように、ユーザ機器に測定構成を送信するように構成され得る。受信部７０１はさらに、ユーザ機器から測定報告を受信するように構成され得る。決定部７０４はさらに、測定報告に基づいて、どの非サービング基地局がリソースを割り当てるかを特定するように構成され得る。
【００８４】
ある実施形態では、決定部７０４はさらに、サービング基地局が属するＰＬＭＮとは異なるさらなるＰＬＭＮのアイデンティティをリクエストメッセージが含む場合には、リソースがさらなるＰＬＭＮにおいて非サービング基地局によって割り当てられることを特定するように構成され得る。
【００８５】
これらの実施形態では、サービング基地局７００はさらに、選択部７０５を含み得る。選択部７０５は、ユーザ機器がＤ２Ｄ検出送信を実行する必要がある周波数をリクエストメッセージが含まない場合には、ユーザ機器のＤ２Ｄ検出送信に対する周波数をさらなるＰＬＭＮの周波数から選択するように構成され得る。決定部７０４はさらに、選択された周波数に基づいてどの非サービング基地局がリソースを割り当てるかを特定するように構成され得る。
【００８６】
ある実施形態では、送信部７０２はさらに、特定された非サービング基地局にリソースを割り当てるリクエストをするように構成され得る。受信部７０１はさらに、割り当てられたリソースを示すためのメッセージを非サービング基地局から受信するように構成され得る。送信部７０２はさらに、割り当てられたリソースをユーザ機器に示すように構成され得る。
【００８７】
ある実施形態では、送信部７０２はさらに、測定報告を非サービング基地局に送信するように構成され得る。
【００８８】
ある実施形態では、決定部７０４はさらに、ユーザ機器からリクエストメッセージを受信するステップに応じて、セルラ送信が実行される間にユーザ機器がＤ２Ｄ検出送信を実行すると許容されるかを判定するように構成され得る。送信部７０２はさらに、セルラ送信が実行される間にユーザ機器がＤ２Ｄ検出送信を実行するのを許容される場合のみ、ユーザ機器に表示メッセージを送信するように構成され得る。
【００８９】
本開示の実施形態の説明では、用語の「備える」又は同様の表現は、開放的な意味を伝えるように、すなわち「備えるがそれに限定されない」のように解釈されるべきである。用語の「基づいて」は、「少なくとも部分的に基づいて」として解釈されるべきである。用語の「一実施形態」又は「実施形態」は、「少なくとも１つの実施形態」として解釈されるべきである。
【００９０】
なお、本開示の実施形態は、ハードウェア、ソフトウェア又はハードウェアとソフトウェアの組合せを通じて実施され得ることに留意すべきである。ハードウェア部品は専用のロジックを使用して実現され、ソフトウェア部品は、メモリに記憶され、適切な命令実施システム、例えば、マイクロプロセッサ又は専用の設計ハードウェアによって実施され得る。当業者であれば、上記の装置及び方法がコンピュータ実行可能命令を用いて、及び／又はプロセッサ制御コードに含まれて実現され得るものであり、例えば、そのようなコードが、プログラム可能なメモリ、又は光学的若しくは電子的な信号キャリアなどのデータキャリア上に与えられることを理解するはずである。
【００９１】
さらに、本開示の方法の動作が図面において特定の配列で示されるが、これはそのような動作が図示する特定の配列で完了されるべきであること又は図示するすべての動作が所望の結果を達成するために実行されるべきであることを要求又は示唆するものではない。逆に、フローチャートに示すステップの配列は変更されてもよい。追加的又は代替的に、いくつかのステップは省略されてもよいし、複数のステップが１つのステップとして組み合わされて実施されてもよいし、及び／又は１つのステップが複数のステップに分割されて実施されてもよい。なお、本開示による装置の２以上の構成及び機能が１つの装置に組み込まれ得ることにも留意すべきである。逆に、上記の装置の１つの構成及び機能は、複数の装置によってさらに実施されることもある。
【００９２】
本開示はいくつかの実施形態を参照して説明されるが、本開示は開示された実施形態に限定されないことが分かるはずである。本開示は、添付の特許請求の範囲の趣旨及び範囲内ですべての変形及び均等の構成を網羅することを目的とする。
【図１】
2018538743.tif 000003
【図２】
2018538743.tif 000004
【図３】
2018538743.tif 000005
【図４】
2018538743.tif 000006
【図５】
2018538743.tif 000007
【図６】
2018538743.tif 000008
【図７】
2018538743.tif 000009
【国際調査報告】
2018538743.tif 000010
2018538743.tif 000011
2018538743.tif 000012
2018538743.tif 000013
2018538743.tif 000014